【手続補正書】
【提出日】令和3年1月27日(2021.1.27)
【手続補正１】
【補正対象書類名】明細書
【補正対象項目名】全文
【補正方法】変更
【補正の内容】
【発明の詳細な説明】
【発明の名称】テープタイプ使い捨ておむつ
【技術分野】
【０００１】
本発明は、テープタイプの使い捨ておむつに関するものである。
【背景技術】
【０００２】
使い捨ておむつには、主にテープタイプ、パンツタイプ（特許文献５，６参照）、パッドタイプの三種類がある。このうち、テープタイプの使い捨ておむつは、展開状態で身体にあてがった後、背側部分の左右両側に設けられた連結部を腹側部分の外面に連結することにより装着を行うものである。
【０００３】
一般的なテープタイプ使い捨ておむつは、前後方向中央を含む股間部と、前後方向  中央より前側に延びる腹側部分と、前後方向中央より後側に延びる背側部分を有し、腹側部分及び背側部分は、吸収体よりも左右両側に延び出たサイドフラップ部を有し、背側部分のサイドフラップ部は、後方に向かうにつれて側方に位置するように延びる脚周り縁と、この脚周り縁よりも後方に位置する胴周り構成領域とを有し、背側部分の胴周り構成領域に、腹側部分と着脱可能に連結するための連結手段を有している（例えば特許文献１〜４参照）。このようなテープタイプ使い捨ておむつは、乳幼児向けとして用いられる他、介護用途（成人用途）で広く使用されている。
【０００４】
このようなテープタイプ使い捨ておむつでは、胴周り構成領域は、身体表面の曲面（通常、腸骨稜に沿う部分の曲面）に当たる部分であるため、この曲面に対するフィット性に優れることが望ましい。
【０００５】
しかしながら、従来の胴周り構成領域は展開状態で平坦であるため、弾性部材により幅方向等の伸縮性を付加すればフィット性が向上するとしても、曲面の頂部に対する接触圧が高くなり、この点でフィット性に改善の余地がある。
【先行技術文献】
【特許文献】
【０００６】
【特許文献１】特開２０１６−１７４８１６号公報
【特許文献２】特開２０１０−２２５５０号公報
【特許文献３】特開２０１１−１３９８３８号公報
【特許文献４】特開２０１１−７２７３６号公報
【特許文献５】特開２０１７−０６４２２４号公報
【特許文献６】特開２０１７−０６４２２５号公報
【発明の概要】
【発明が解決しようとする課題】
【０００７】
そこで、本発明の主たる課題は、サイドフラップ部の胴周り構成領域の身体表面に対するフィット性を改善することにある。
【課題を解決するための手段】
【０００８】
上記課題を解決したテープタイプ使い捨ておむつの各種態様は次のとおりである。
＜第１の態様＞
前後方向中央を含む股間部と、前後方向  中央より前側に延びる腹側部分と、前後方向中央より後側に延びる背側部分とを有し、
前記股間部を含む範囲に内蔵された吸収体を有し、
前記腹側部分及び前記背側部分は、前記吸収体よりも左右両側に延び出たサイドフラップ部を有し、
前記背側部分の前記サイドフラップ部は、後方に向かうにつれて側方に位置するように延びる脚周り縁と、この脚周り縁よりも後方に位置する胴周り構成領域とを有し、
前記背側部分の前記胴周り構成領域に、前記腹側部分と着脱可能に連結するための連結手段を有する、
テープタイプ使い捨ておむつにおいて、
前記背側部分の前記胴周り構成領域は、上領域、中間領域、及び下領域の３つの領域を有しており、
前記上領域に設けられた上弾性シートと、前記下領域に設けられた下弾性シートと、前記上領域、中間領域及び下領域にわたり、前記上弾性シート及び下弾性シートの表側を覆う第１カバー層と、前記上領域、中間領域及び下領域にわたり、前記上弾性シート及び下弾性シートの裏側を覆う第２カバー層とを有し、
前記上弾性シートの下縁は前記上領域の下縁に一致し、前記下弾性シートの上縁は前記下領域の上縁に一致し、
前記弾性シート、前記第１カバー層及び前記第２カバー層は一体化されており、
前記第１カバー層及び前記第２カバー層は伸縮性を有しておらず、
前記上領域は、前記上弾性シートにより幅方向に伸長可能に収縮した伸縮領域であり、
前記下領域は、前記下弾性シートにより幅方向に伸長可能に収縮した伸縮領域であり、
前記中間領域は、弾性素材を有しないか、又は弾性素材を有するとしてもその弾性素材により幅方向に収縮していない、
ことを特徴とするテープタイプ使い捨ておむつ。
【０００９】
（作用効果）
本態様のように、連結手段を有する胴周り構成領域の上領域及び下領域を伸縮領域とし、中間領域を非伸縮領域とすると、上領域及び下領域の収縮により中間領域を裏側に窪ませることができる。このため、装着時に上領域及び下領域を展開状態まで伸長させない限り、胴周り構成領域の内面に中間領域を主とする窪みを形成することができ、身体表面の曲面（特に、腸骨稜に沿う部分の曲面）に対して良好にフィットし、曲面の頂部に対する接触圧が高くなりにくい。しかも、上領域及び下領域の伸縮性により、胴周り方向の伸縮性も発揮され、全体として良好なフィット性が発揮される。
＜第２の態様＞
前記吸収体は、少なくとも前記下領域の間まで後方に延びており、
前記上弾性シートは、幅方向の一方の胴周り構成領域から他方の胴周り構成領域まで幅方向に連続する、左右共通の部材であり、
前記下弾性シートは、幅方向両側の一方の胴周り構成領域及び他方の胴周り構成領域に個別に設けられており、
前記吸収体と重なる領域に、前記下弾性シートを有しない部分が設けられている、
第１の態様のテープタイプ使い捨ておむつ。
【００１０】
（作用効果）
本態様のように、上弾性シートを左右の胴周り構成領域に連続する共通の部材とすることにより、左右の胴周り構成領域だけでなく、その間の部分も含めて幅方向に伸長可能に収縮することとなり、テープタイプ使い捨ておむつの後端部（ウエスト縁部）のフィット性が良好となる。一方、下弾性シートは左右の胴周り構成領域に個別に設け、吸収体と重なる領域に非伸縮領域を形成すると、吸収体を有する部分のフィット性が良好となる。
＜第３の態様＞
前記連結手段は、前記胴周り構成領域に固定されたテープ取付部、及びこのテープ取付部から突出するテープ本体部と、このテープ本体部の幅方向中間部に設けられた、腹側部分に対する連結部とを有する連結テープであり、
前記テープ取付部は、前記胴周り構成領域における前記上領域の上端部と対応する前後方向位置から前記下領域の下端部と対応する前後方向位置まで延びている、
第１又は２の態様のテープタイプ使い捨ておむつ。
【００１１】
（作用効果）
本態様のように構成されていることにより、テープ本体部を摘まんで引っ張るときに、上領域及び下領域の両方に対して直接的に力が伝わる。この結果、装着時に、胴周り構成領域の上領域及び下領域をバランスよく引っ張ることができ、より容易に適切な装着が可能となる。
＜第４の態様＞
前記中間領域は、前記第１カバー層及び第２カバー層の間に挟まれ、一体化された中間弾性シートを有するとともに、前記第１カバー層、前記第２カバー層及び前記中間弾性シートが重なる領域内に立体的変形領域を有し、
前記立体的変形領域における前記第１カバー層及び前記第２カバー層には、スリット又はこれを形成するためのミシン目からなるスリット部が複数本設けられており、
前記複数本のスリット部は、前記立体的変形領域を横切って前記立体的変形領域の一方の縁部から他方の縁部まで延びており、
前記複数本のスリット部は互いに交差しており、
前記第１カバー層及び前記第２カバー層における前記立体的変形領域内に位置する部分のすべてが、前記スリット部を介さずに、前記立体的変形領域外に位置する部分に連続している、
第１〜３のいずれか１つの態様のテープタイプ使い捨ておむつ。
【００１２】
（作用効果）
本態様の中間領域は、複数本のスリット部がそれらの交差位置に近づくほど大きく広がるような第１カバー層及び第２カバー層の変形を伴い、中間弾性シートが各スリット部の広がりに応じて弾性伸長可能である。この結果、立体的変形領域に厚み方向の一方側から他方側に向かう力が加えられたとき、立体的変形領域はこれに追従して、主に各スリット部と直交する複数方向に伸長しつつ、周囲部分に対して窪むように変形することができる。したがって、このような窪み変形する立体的変形領域を、胴周り構成領域の中間領域に設ければ、胴周り構成領域の上領域及び下領域がある程度まで伸長し、胴周り構成領域の窪みがほとんど無くなるような装着状態でも、立体的変形領域が窪むことにより、良好なフィット性が確保される。
また、複数本のスリット部により立体的変形領域が決まるため、一本の直線状のスリットの場合と比べて、伸縮方向に制限がなく、伸縮の程度も大きなものとすることができる。
さらに、第１カバー層及び第２カバー層における立体的変形領域内に位置する部分のすべてが、スリット部を介さずに、立体的変形領域外に位置する部分に連続しているため、既存の製造設備において、第１カバー層及び第２カバー層にスリット部を設けるだけで製造することが可能となる。
【００１３】
＜第５の態様＞
前記立体的変形領域は、自然長の状態では、前記中間弾性シートの収縮に伴い形成される収縮皺が前記第１カバー層及び第２カバー層に形成されない、
第４の態様のテープタイプ使い捨ておむつ。
【００１４】
（作用効果）
スリット部による立体的変形領域を形成する場合、製造時に中間弾性シートを伸長した状態で取り付けてもよいが、その必要はない。したがって、製造時に中間弾性シートをほぼ伸長していない状態で第１カバー層及び第２カバー層と一体化することにより、本態様のように中間弾性シートの収縮による皺（襞含む）が形成されず、良好な外観の伸縮構造となる。この場合、第１カバー層及び第２カバー層にスリット部しか設けないことにより、自然長状態では、中間弾性シートが第１カバー層及び第２カバー層により綺麗に隠蔽されるという利点もある。
【００１５】
＜第６の態様＞
前記スリット部は、前記立体的変形領域の中央部を通り、両端部が前記立体的変形領域の縁部まで延びる複数本のスリット部を含む、
第４又は５の態様のテープタイプ使い捨ておむつ。
【００１６】
（作用効果）
スリット部は本態様のように、中央部を通るものを複数本含むことができる。この場合、スリット部は立体的変形領域の中央部から放射状（Ｘ状や十字状を含む）に延びることとなる。本態様では、最小限のスリット部の数で広範囲にわたる立体的変形領域を形成することができる。本態様は、立体的変形領域を円形や楕円形、ひし形とする場合に好適である。
【００１７】
＜第７の態様＞
前記スリット部は、前記立体的変形領域の中央部を通り、両端部が前記立体的変形領域の縁部まで延びる中央スリット部と、この中央スリット部の端部を通り、両端部が前記立体的変形領域の縁部まで延びる端スリット部とを含む、
第４又は５の態様のテープタイプ使い捨ておむつ。
【００１８】
（作用効果）
本態様のように、中央スリット部と、その端部を通る端スリット部を含むことができる。この場合、スリット部はＴ字状やＨ字状等に延びることとなる。本態様は、立体的変形領域を三角形や矩形とする場合に好適である。
【発明の効果】
【００１９】
以上のとおり、本発明によれば、サイドフラップ部の胴周り構成領域が身体表面の曲面に対して良好にフィットするようになる、等の利点がもたらされる。
【図面の簡単な説明】
【００２０】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】（ａ）図１の８−８線断面図、及び（ｂ）図１の９−９線断面図である。
【図６】（ａ）図１の３−３線断面図、（ｂ）図１の４−４線断面図、及び（ｃ）図１の５−５線断面図である。
【図７】積層伸縮体の（ａ）展開状態における平面図、（ｂ）横断面図、及び（ｃ）縦断面図である。
【図８】（ａ）展開状態における胴周り構成領域を示す平面図、及び（ｂ）自然長の状態における胴周り構成領域を示す斜視図である。
【図９】装着状態を示す側面図である。
【図１０】伸縮領域の各種配置例を示す平面図である。
【図１１】各種スリット部を示す平面図である。
【図１２】伸縮領域の変形状態を示す（ａ）斜視図、及び（ｂ）断面図である。
【発明を実施するための形態】
【００２１】
図１〜図９はテープタイプ使い捨ておむつの一例を示しており、図中の符号Ｘは連結テープを除いたおむつの全幅を示しており、符号Ｌはおむつの全長を示しており、断面図における点模様部分はその表側及び裏側に位置する各構成部材を接合する接合手段としてのホットメルト接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２２】
このテープタイプ使い捨ておむつは、前後方向ＬＤの中央を含む股間部と、前後方向ＬＤの中央より前側に延びる腹側部分Ｆと、前後方向ＬＤの中央より後側に延びる背側部分Ｂとを有している。また、このテープタイプ使い捨ておむつは、股間部を含む範囲に内蔵された吸収体５６と、吸収体５６の表側を覆う液透過性のトップシート３０と、吸収体５６の裏側を覆う液不透過性シート１１と、液不透過性シートの裏側を覆い、製品外面を構成する外装不織布１２とを有するものである。他方、腹側部分Ｆから背側部分Ｂにかけての幅方向両側には、吸収体５６を有しないサイドフラップ部ＳＦが形成されるとともに、背側部分のサイドフラップ部は、後方に向かうにつれて側方に位置するように延びる脚周り縁１０と、この脚周り縁１０よりも後方に位置する胴周り構成領域７０とを有している。そして、背側部分Ｂの胴周り構成領域７０は、腹側部分Ｆの外面に着脱可能に連結される連結テープ１３を有している。装着状態では、例えば図９に示すように、連結テープ１３が腹側部分Ｆの外面に連結される。図２等に示すように、腹側部分Ｆのサイドフラップ部にも、前方に向かうにつれて側方に位置するように延びる脚周り縁１０と、この脚周り縁１０よりも後方に位置する胴周り構成領域７０を有している。腹側部分Ｆ及び背側部分Ｂの脚周り縁１０は連続しており、テープタイプ使い捨ておむつの前後方向ＬＤの中間がくびれた形状となっている。また、図示例のテープタイプ使い捨ておむつは、吸収体５６の前側及び後側にそれぞれ延出する、吸収体５６を有しない一対のエンドフラップ部ＥＦを有している。
【００２３】
以下、各部の素材及び特徴部分について順に説明する。
（吸収体）
吸収体５６は、排泄液を吸収し、保持する部分であり、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。
【００２４】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００２５】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００２６】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００２７】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００２８】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００２９】
（包装シート）
高吸収性ポリマー粒子の抜け出しを防止するため、あるいは吸収体５６の形状維持性を高めるために、吸収体５６は包装シート５８で包んでなる吸収要素５０として内蔵させることができる。包装シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００３０】
この包装シート５８は、図３及び図５に示すように、一枚で吸収体５６の全体を包む構造とするほか、上下２枚等の複数枚のシートで吸収体５６の全体を包むようにしてもよい。包装シート５８は省略することもできる。
【００３１】
（トップシート）
トップシート３０は液透過性を有するものであり、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３２】
トップシート３０は、前後方向では製品前端から後端まで延び、幅方向ＷＤでは吸収体５６よりも側方に延びているが、例えば後述する起き上がりギャザー６０の起点が吸収体５６の側縁よりも幅方向中央側に位置する場合等、必要に応じて、トップシート３０の幅を吸収体５６の全幅より短くする等、適宜の変形が可能である。
【００３３】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高め、吸収した液の吸収体からの「逆戻り」現象を防止するためのものである。中間シート４０は省略することもできる。
【００３４】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３５】
図示例の中間シート４０は、吸収体５６の幅より短く中央に配置されているが、全幅にわたって設けてもよい。また、中間シート４０は、おむつの全長にわたり設けてもよいが、図示例のように排泄位置を含む中間部分にのみ設けてもよい。
【００３６】
（液不透過性シート）
液不透過性シート１１は、特に限定されるものではないが、透湿性を有するものが好ましい。液不透過性シート１１としては、例えば、ポリエチレンやポリプロピレン等のオレフィン系樹脂中に無機充填剤を混練して、シートを成形した後、一軸又は二軸方向に延伸して得られた微多孔性シートを好適に用いることができる。また、液不透過性シート１１としては、不織布を基材として防水性を高めたものも用いることができる。
【００３７】
液不透過性シート１１は、前後方向ＬＤ及び幅方向ＷＤにおいて吸収体５６と同じか又はより広範囲にわたり延びていることが望ましいが、他の遮水手段が存在する場合等、必要に応じて、前後方向ＬＤ及び幅方向ＷＤにおいて吸収体５６の端部を覆わない構造とすることもできる。
【００３８】
（外装不織布）
外装不織布１２は液不透過性シート１１の裏側全体を覆い、製品外面を布のような外観とするものである。外装不織布１２としては特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００３９】
（起き上がりギャザー）
トップシート３０上を伝わって横方向に移動する排泄物を阻止し、いわゆる横漏れを防止するために、表面の幅方向ＷＤの両側には、装着者の肌側に立ち上がる起き上がりギャザー６０が設けられていると好ましい。もちろん、起き上がりギャザー６０は省略することもできる。
【００４０】
起き上がりギャザー６０を採用する場合、その構造は特に限定されず、公知のあらゆる構造を採用できる。図示例の起き上がりギャザー６０は、実質的に幅方向ＷＤに連続するギャザーシート６２と、このギャザーシート６２に前後方向ＬＤに沿って伸長状態で固定された細長状のギャザー弾性部材６３とにより構成されている。このギャザーシート６２としては撥水性不織布を用いることができ、またギャザー弾性部材６３としては糸ゴム等を用いることができる。弾性部材は、図１及び図２に示すように各複数本設ける他、各１本設けることができる。
【００４１】
ギャザーシート６２の内面は、トップシート３０の側部上に幅方向ＷＤの接合始端を有し、この接合始端から幅方向外側の部分は各サイドフラップ部ＳＦの内面、つまり図示例では液不透過性シート１１の側部及びその幅方向外側に位置する外装不織布１２の側部にホットメルト接着剤などにより接合されている。
【００４２】
脚周りにおいては、起き上がりギャザー６０の接合始端より幅方向内側は、製品前後方向両端部ではトップシート３０上に固定されているものの、その間の部分は非固定の自由部分であり、この自由部分が弾性部材６３の収縮力により立ち上がり、身体表面に密着するようになる。
【００４３】
（平面ギャザー）
各サイドフラップ部ＳＦには、糸ゴム等の細長状弾性部材からなるサイド弾性部材６４が前後方向ＬＤに沿って伸長された状態で固定されており、これにより各サイドフラップ部ＳＦの脚周り部分が平面ギャザーとして構成されている。脚周り弾性部材６４は、図示例のように、ギャザーシート６２の接合部分のうち接合始端近傍の幅方向外側において、ギャザーシート６２と液不透過性シート１１との間に設けるほか、サイドフラップ部ＳＦにおける液不透過性シート１１と外装不織布１２との間に設けることもできる。脚周り弾性部材６４は、図示例のように各側で複数本設ける他、各側に１本のみ設けることもできる。
【００４４】
（連結テープ）
背側部分Ｂにおける胴周り構成領域７０には、腹側部分Ｆの外面に対して着脱可能に連結される連結手段としての連結テープ１３がそれぞれ設けられている。おむつの装着に際しては、連結テープ１３を腰の両側から腹側部分Ｆの外面に回して、連結テープ１３の連結部１３Ａを腹側部分Ｆ外面の適所に連結する。
【００４５】
連結テープ１３の構造は特に限定されないが、図示例では、胴周り構成領域７０に固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する連結部１３Ａとを有し、この連結部１３Ａより先端側が摘み部となっている。連結テープ１３の形状も特に限定されるものではない。例えば、テープ取付部１３Ｃは前後方向寸法が最も長くかつ一定の部分を有し、テープ本体部１３Ｂは先端に向かうにつれて細くなるテーパー形状とすることができる。また、テープ取付部１３Ｃの前後方向寸法は胴周り構成領域の前後方向寸法の５０〜９０％であることが好ましく、後述する上弾性シート７１Ｅの上縁から下弾性シート７３Ｅの下縁までの前後方向寸法以上であることが好ましい。
【００４６】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００４７】
また、テープ取付部１３Ｃからテープ本体部１３Ｂまでを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００４８】
（ターゲット部）
腹側部分Ｆにおける連結テープ１３の連結箇所には、ターゲット部を設けることが好ましい。ターゲット部は、図示例のように、連結を容易にするためのターゲットシート２０を腹側部分Ｆの外面に貼り付けることにより設けることができる。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示例のように外装不織布１２を有する場合には、ターゲットシート２０を省略し、フック材を外装不織布１２の繊維に絡ませて連結することもできる。この場合、目印としてのターゲットシート２０を外装不織布１２と液不透過性シート１１との間に設ける他、外装不織布１２や液不透過性シート１１の外面に目印を印刷してもよい。
【００４９】
（背側部分の胴周り構成領域）
特徴的には、図８に拡大して示すように背側部分Ｂの胴周り構成領域７０は、上領域７１、中間領域７２、及び下領域７３の３つの領域を有している。また、図６に示すように、胴周り構成領域７０は、上領域７１に設けられた上弾性シート７１Ｅと、下領域７３に設けられた下弾性シート７３Ｅと、上領域７１、中間領域７２及び下領域７３にわたり、上弾性シート７１Ｅ及び下弾性シート７３Ｅの表側を覆う第１カバー層９１と、上領域７１、中間領域７２及び下領域７３にわたり、上弾性シート７１Ｅ及び下弾性シート７３Ｅの裏側を覆う第２カバー層９２とを有している。図示例では、胴周り構成領域７０の部位に応じて、第１カバー層９１及び第２カバー層９２となる素材や積層数が異なっているが、同一であってもよく、また積層数は一層であってもよい（図示例における最も積層数が少ない部分では、第１カバー層９１はギャザーシート６２のみからなり、第２カバー層９２は外装不織布１２のみからなる）。さらに、第１カバー層９１及び第２カバー層９２は伸縮性を有しないものであれば、そこに含まれるシートに伸縮性を有するものが含まれていてもよいが、表裏両面が不織布で形成されていることが好ましい。なお、伸縮性を有しない（非伸縮）とは、厚み方向と直交するあらゆる方向において弾性限界における伸長倍率が１．０〜１．３倍のものを意味する。
【００５０】
上弾性シート７１Ｅ及び下弾性シート７３Ｅとしては、弾性（エラスティック）フィルムや、伸縮不織布等のそれ自体で弾性伸縮する素材を用いることができる他、図７に示すように、二枚の不織布等の支持層８１をホットメルト接着剤等の接着剤により貼り合わせるとともに、両支持層８１間に有孔のシート状、網状、細長状（糸状又は紐状等）等の弾性部材８２を幅方向ＷＤに沿って伸長した状態で固定した積層伸縮体８０を用いることもできる。この場合における支持層８１の素材としては、外装不織布１２と同様のものを用いることができる。弾性部材８２の伸長率は１５０〜２５０％程度であるのが好ましい。また、弾性部材８２として細長状（糸状又は紐状等）のものを用いる場合、太さ４２０〜１１２０ｄｔｅｘのものを３〜１０ｍｍの間隔８２ｄで５〜１５本程度設けるのが好ましい。
【００５１】
このような積層伸縮体における幅方向ＷＤの両端部は、製造時に吸引により保持して取り付けを行うために非伸縮領域８６となっていてもよい。非伸縮領域８６の寸法、及びこれらの間に位置し、幅方向ＷＤに伸縮する中間伸縮領域８５の寸法は適宜定めることができるが、中間伸縮領域８５の幅は後述する左右の連結テープ１３の連結部１３Ａ間の幅の４５〜９０％とすることが好ましく、非伸縮領域８６の幅は製造時の縮みやめくれ防止のため５〜５０ｍｍ程度とすることが好ましい。非伸縮領域８６は弾性部材８２を有しない領域としてもよいが、中間伸縮領域８５及び非伸縮領域８６にわたり弾性部材８２を取り付けるとともに、非伸縮領域８６では弾性部材８２を切断する等により、非伸縮領域８６に弾性部材８２が残留するもののほとんど又は全く伸縮しない構造としてもよい。
【００５２】
また、上弾性シート７１Ｅ及び下弾性シート７３Ｅとしては、無孔のものの他、通気のために多数の孔やスリットが形成されたものも用いることができる。上弾性シート７１Ｅ及び下弾性シート７３Ｅは、特性により限定されるものではないが、例えば幅方向ＷＤ（伸縮方向ＥＤ、ＭＤ方向）における引張強度が８〜２５Ｎ／３５ｍｍ、前後方向ＬＤ（伸縮方向と直交する方向ＸＤ、ＣＤ方向）における引張強度が５〜２０Ｎ／３５ｍｍ、幅方向ＷＤにおける引張伸度が４５０〜１０５０％、及び前後方向ＬＤにおける引張伸度が４５０〜１４００％のものを用いることができる。上弾性シート７１Ｅ及び下弾性シート７３Ｅの厚みは特に限定されないが、弾性フィルムの場合、例えば２０〜４０μｍ程度とすることができる。
【００５３】
上弾性シート７１Ｅ及び下弾性シート７３Ｅと第１カバー層９１、並びに上弾性シート７１Ｅ及び下弾性シート７３Ｅと第２カバー層９２は、それぞれホットメルト接着剤を介して接着することにより、又は少なくとも一方の溶着により一体化することができる。また、第１カバー層９１、上弾性シート７１Ｅ及び下弾性シート７３Ｅ、並びに第２カバー層９２は、それらが一体として伸縮可能である限り、隣接層の全体が連続的に接合されていても、間欠的に接合されていてもよい。また、特表２００４−５３２７５８号公報や、特開２０１６−１８９８２６号公報に示される一体化手法を採用し、第１カバー層９１及び第２カバー層９２の間に上弾性シート７１Ｅ及び下弾性シート７３Ｅを挟んだ状態で散点状に超音波シールを行い、第１カバー層９１及び第２カバー層９２を多数の接合部で上弾性シート７１Ｅ及び下弾性シート７３Ｅに形成した貫通孔を通じて接合してもよい（図示略）。
【００５４】
本胴周り構成領域７０では、上弾性シート７１Ｅの下縁は上領域７１の下縁に一致し、下弾性シート７３Ｅの上縁は下領域７３の上縁に一致している。また、上領域７１は、上弾性シート７１Ｅにより幅方向ＷＤに伸長可能に収縮した伸縮領域となっており、下領域７３は、下弾性シート７３Ｅにより幅方向ＷＤに伸長可能に収縮した伸縮領域となっており、中間領域７２は、弾性素材を有しないか、又は弾性素材を有するとしてもその弾性素材により幅方向ＷＤに収縮していない領域となっている。これら上領域７１及び下領域７３は、製造時に上弾性シート７１Ｅ及び下弾性シート７３Ｅを幅方向ＷＤに伸長した状態で第１カバー層９１及び第２カバー層９２と一体化する公知の方法により製造できる。このように、胴周り構成領域７０の上領域７１及び下領域７３を伸縮領域とし、中間領域７２を非伸縮領域とすると、図８（ｂ）に示すように、上領域７１及び下領域７３の収縮により中間領域７２を裏側に窪ませることができる（窪み７２Ｓ）。このため、装着時に上領域７１及び下領域７３を展開状態まで伸長させない限り、図９に示すように、胴周り構成領域７０の内面に中間領域７２を主とする窪み７２Ｓを形成することができ、身体表面の曲面（特に、腸骨稜に沿う部分の曲面）に対して良好にフィットし、曲面の頂部に対する接触圧が高くなりにくい。しかも、上領域７１及び下領域７３の伸縮性により、胴周り方向の伸縮性も発揮され、全体として良好なフィット性が発揮される。
【００５５】
図２等に示すように、上弾性シート７１Ｅは、幅方向ＷＤの一方の胴周り構成領域７０から他方の胴周り構成領域７０まで幅方向ＷＤに連続する、左右共通の部材であり、下弾性シート７３Ｅは、幅方向ＷＤ両側の一方の胴周り構成領域７０及び他方の胴周り構成領域７０に個別に設けられており、吸収体５６と重なる領域に、下弾性シート７３Ｅを有しない部分が設けられていると好ましい。このように、上弾性シート７１Ｅを左右の胴周り構成領域７０に連続する共通の部材とすることにより、胴周り構成領域７０だけでなく、その間の部分も含めて幅方向ＷＤに伸長可能に収縮することとなり、テープタイプ使い捨ておむつの後端部（ウエスト縁部）のフィット性が良好となる。一方、下弾性シート７３Ｅは左右の胴周り構成領域７０に個別に設け、吸収体５６と重なる領域に非伸縮領域を形成すると、吸収体５６を有する部分のフィット性が良好となる。図示例では、上弾性シート７１Ｅは、エンドフラップ部ＥＦにのみ位置しているが、後述するウエスト弾性シート７５のように、エンドフラップ部ＥＦから吸収体５６の後端部までにわたるように配置されていると、吸収体５６の後端部がしっかりと体に押し当てられるため、好ましい。このように、幅方向ＷＤにおいて、上弾性シート７１Ｅは上領域７１外まで、また下弾性シート７３Ｅは下領域７３外まで延びていてもよい。
【００５６】
もちろん、図１０（ａ）に示すように、上弾性シート７１Ｅ及び下弾性シート７３Ｅの両方を、左右の胴周り構成領域７０に個別に設けることもできる。また、その場合、図１０（ｂ）に示すように、左右の上弾性シート７１Ｅ及び下弾性シート７３Ｅの間に別途のウエスト弾性シート７５を配置し、胴周り構成領域７０だけでなく、その間の部分も含めて幅方向ＷＤに伸長可能に収縮させることにより、テープタイプ使い捨ておむつの後端部（ウエスト縁部）のフィット性を確保することもできる。ウエスト弾性シート７５は、エンドフラップ部ＥＦにのみ位置していてもよいが、図示例のようにエンドフラップ部ＥＦから吸収体５６の後端部までにわたるように配置されていると、吸収体５６の後端部がしっかりと体に押し当てられるため、好ましい。
【００５７】
上弾性シート７１Ｅにおける吸収体５６と重なる部分、及びウエスト弾性シート７５における吸収体５６と重なる部分は、図示例では、液不透過性シート１１と吸収要素５０との間に配置されているが、この配置に特に限定されるものではない。例えば、上弾性シート７１Ｅにおける吸収体５６と重なる部分、及びウエスト弾性シート７５における吸収体５６と重なる部分は、液不透過性シート１１と外装不織布１２との間に配置されていてもよい。
【００５８】
上弾性シート７１Ｅ、下弾性シート７３Ｅ、及び連結テープ１３の位置関係は適宜定めることができる。図示例のように、テープ取付部１３Ｃが、胴周り構成領域７０における上領域７１の上端部と対応する前後方向位置から下領域７３の下端部と対応する前後方向位置まで延びているのは、一つの好ましい形態である。これにより、テープ本体部１３Ｂを摘まんで引っ張るときに、上領域７１及び下領域７３の両方に対して直接的に力が伝わる。この結果、装着時に、胴周り構成領域７０の上領域７１及び下領域７３をバランスよく引っ張ることができ、より容易に適切な装着が可能となる。また、同様の観点から、図示例のように、テープ取付部１３Ｃの前後方向ＬＤの中心と、中間領域７２における前後方向ＬＤの中心とを一致させることが好ましい。
【００５９】
上弾性シート７１Ｅ及び下弾性シート７３Ｅは、連結テープ１３のテープ取付部１３Ｃと重なっていてもよいが、重ならずに幅方向ＷＤの内側に配置されていると、連結テープ１３のテープ取付部１３Ｃが不必要に収縮することが無いため好ましい。
【００６０】
上領域７１、下領域７３及び中間領域７２の寸法は適宜定めることができる。例えば、上領域７１の前後方向寸法は胴周り構成領域７０の前後方向寸法の１５〜３０％とすることができ、下領域７３の前後方向寸法は胴周り構成領域７０の前後方向寸法の１５〜３０％とすることができ、中間領域７２の前後方向寸法は胴周り構成領域７０の前後方向寸法の３０〜６０％とすることができる。
【００６１】
（立体的変形領域）
図１、図６及び図８に示すように、中間領域７２には立体的変形領域９０が設けられている。すなわち、この立体的変形領域９０では、立体的変形領域９０の内外にわたる大きさの中間弾性シート９３と、中間弾性シート９３の表側を覆う第１カバー層９１と、裏側を覆う第２カバー層９２とが一体化されている。第１カバー層９１及び第２カバー層９２は、上領域７１及び下領域７３と同じ部材により形成されていても、異なっていてもよい。中間弾性シート９３に用いうる素材又は部材は上弾性シート７１Ｅ及び下弾性シート７３Ｅの場合と同様である。また、中間弾性シート９３と、第１カバー層９１及び第２カバー層９２との一体化は、上弾性シート７１Ｅ及び下弾性シート７３Ｅと第１カバー層９１及び第２カバー層９２との一体化と同じ手法を採用することができる。
【００６２】
立体的変形領域９０における第１カバー層９１及び第２カバー層９２には、スリット又はこれを形成するためのミシン目からなるスリット部９５，９６が複数本設けられる。これらスリット部９５，９６は、立体的変形領域９０を横切って立体的変形領域９０の一方の縁部から他方の縁部まで延びているとともに、互いに交差している。そして、第１カバー層９１及び第２カバー層９２における立体的変形領域９０内に位置する部分のすべてが、スリット部９５，９６を介さずに、立体的変形領域９０外に位置する部分に連続している。この結果、本例の立体的変形領域９０では、図１２（ａ）に示す例のように、複数本のスリット部がそれらの交差位置に近づくほど大きく広がるような第１カバー層９１及び第２カバー層９２の変形を伴い、中間弾性シート９３がスリット部９５，９６の広がりに応じて弾性伸長可能である。
【００６３】
換言すると、本立体的変形領域９０では、図１２（ｂ）に矢印で示すように立体的変形領域９０に厚み方向の一方側から他方側に向かう力が加えられたとき、立体的変形領域９０はこれに追従して、主に各スリット部９５，９６と直交する複数方向に伸長しつつ、周囲部分に対して窪むように変形することができる。したがって、このような窪み変形する立体的変形領域９０を、胴周り構成領域７０の中間領域７２に設ければ、胴周り構成領域７０の上領域７１及び下領域７３がある程度まで伸長し、胴周り構成領域７０の窪み７２Ｓがほとんど無くなるような装着状態でも、立体的変形領域９０が窪むことにより、良好なフィット性が確保される。また、複数本のスリット部９５，９６により立体的変形領域９０が決まるため、一本の直線状のスリットの場合と比べて、伸縮方向に制限がなく、伸縮の程度も大きなものとすることができる。さらに、第１カバー層９１及び第２カバー層９２における立体的変形領域９０内に位置する部分のすべてが、スリット部９５，９６を介さずに、立体的変形領域９０外に位置する部分に連続しているため、既存の製造設備において、第１カバー層９１及び第２カバー層９２にスリット部９５，９６を設けるだけで製造することが可能となる。
【００６４】
中間弾性シート９３は、製造時に伸長した状態で第１カバー層及び第２カバー層と一体化してもよい。その場合、立体的変形領域９０は、中間弾性シート９３が自然長まで収縮するのに伴い、第１カバー層９１及び第２カバー層９２が収縮し、第１カバー層９１及び第２カバー層９２に収縮皺が形成される。これと異なり、製造時に中間弾性シート９３をほぼ伸長していない状態で第１カバー層９１及び第２カバー層９２と一体化することも可能である。図示例はこの場合を想定しており、自然長の状態では、立体的変形領域９０に皺（襞含む）が形成されず、外観が良好となる。特に、第１カバー層９１及び第２カバー層９２にスリット部９５，９６しか設けないことにより、自然長の状態では、中間弾性シート９３が第１カバー層９１及び第２カバー層９２により綺麗に隠蔽されるという利点もある。
【００６５】
スリット部９５，９６は、前後方向ＬＤや幅方向ＷＤのみならず、斜め方向に延びていてもよい。またスリット部９５，９６は立体的変形領域９０を横切って縁部まで延びる限り、図示例のように直線状とする他、弧状や波線等の曲線状とすることができる。互いに交差する二本のスリット部９５，９６の交差角度は立体的変形領域９０の寸法・形状やスリット部９５，９６の配置により適宜定めることができるが、通常の場合９０度、又は交差角度の一方が鋭角の場合には１５度以上９０度未満、特に３０〜９０度未満とすることができる。立体的変形領域９０の寸法は適宜定めることができるが、通常の場合、前後方向寸法Ｙ１は２〜７ｍｍ程度、幅方向寸法Ｘ１は４〜７ｍｍ程度の範囲内とすることができ、図１１（ａ）に示すように前後方向寸法Ｙ１が幅方向寸法Ｘ１より長くしたり、図示しないが幅方向寸法Ｘ１が前後方向寸法Ｙ１より長くしたり、図示しないが前後方向寸法Ｙ１及び幅方向寸法Ｘ１を同じとしたりすることができる。立体的変形領域９０は、周縁に物品の端部を含まないことが好ましいが、一部含んでいてもよい。スリット部９５，９６の本数は限定されず、図示例より多くてもよい。
【００６６】
複数のスリット部９５，９６の配置は特に限定されない。例えば、図１１に示す各例のように、一部の複数（図１１（ａ）の例）のスリット部９５、又は全部（図１１（ｂ）（ｃ）のスリット部９５が、立体的変形領域９０の中央部を通り、両端部が立体的変形領域９０の縁部まで延びているのは好ましい。この場合、スリット部９５は立体的変形領域９０の中央部から放射状（Ｘ状や十字状を含む）に延びることとなる。このようにスリット部９５が立体的変形領域９０の中央部から放射状に延びるように配置されていると、最小限のスリット部９５の数で広範囲にわたる立体的変形領域９０を形成することができる。また、このスリット部９５の配置は、立体的変形領域９０を円形や楕円形、ひし形とする場合に好適である。
【００６７】
図１１（ａ）に示す例のように、スリット部９５，９６は、立体的変形領域９０の中央部を通り、両端部が立体的変形領域９０の縁部まで延びる中央スリット部９５と、この中央スリット部の端部を通り、両端部が立体的変形領域９０の縁部まで延びる端スリット部９６とを含むのも好ましい。この場合、スリット部９５，９６はＴ字状やＨ字状等に延びることとなる。またこのスリット部９５，９６の配置は、立体的変形領域９０を三角形や矩形とする場合に好適である。図１１（ｄ）に示すように、立体的変形領域９０をＵ字状やＶ字状に囲むように端スリット部９６を三本又は二本設けるだけでもよい。
【００６８】
第１カバー層９１のスリット部９５，９６、及び第２カバー層９２のスリット部９５，９６は、同じ寸法・形状で、同じ位置に配置されている（つまり厚み方向に完全に重なる）ことが望ましいが、多少ずれていてもよい。また、第１カバー層９１のスリット部９５，９６、及び第２カバー層９２のスリット部９５，９６は、異なる寸法・形状であってもよい。
【００６９】
中間領域７２における立体的変形領域９０の幅方向ＷＤの位置は、特に限定されないが、第１カバー層９１及び第２カバー層９２の素材積層数がそれぞれ１層の部分であると製造が容易となるため好ましい。このため、本例の場合、背側部分Ｂのサイドフラップ部ＳＦにおける連結テープ１３のテープ取付部１３Ｃより幅方向内側に、立体的変形領域９０が設けられていることが好ましい。この場合、第１カバー層９１はギャザーシート６２のみからなるものとなり、第２カバー層９２は外装不織布１２のみからなることとなる。
【００７０】
図１０（ｂ）に示す例のように、立体的変形領域９０（つまり、中間弾性シート９３及びスリット）を設けなくてもよい。
【００７１】
＜明細書中の用語の説明＞
明細書中の以下の用語は、明細書中に特に記載が無い限り、以下の意味を有するものである。
・「前後方向」とは図中に符号ＬＤで示す方向（縦方向）を意味し、「幅方向」とは図中にＷＤで示す方向（左右方向）を意味し、前後方向と幅方向とは直交するものである。
【００７２】
・「展開状態」とは、収縮や弛み無く平坦に展開した状態を意味する。
【００７３】
・「伸長率」は、自然長を１００％としたときの値を意味する。例えば、伸長率が２００％とは、伸長倍率が２倍であることと同義である。
【００７４】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００７５】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
・上記以外の「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
・「引張強度」及び「引張伸度（破断伸び）」は、試験片を幅３５ｍｍ・長さ８０ｍｍの長方形状とする以外は、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとして測定される値を意味する。引張試験機としては、例えばＳＨＩＭＡＤＺＵ社製のＡＵＴＯＧＲＡＰＨ  ＡＧＳ−Ｇ１００Ｎを用いることができる。
【００７６】
・「吸水量」は、ＪＩＳ  Ｋ７２２３−１９９６「高吸水性樹脂の吸水量試験方法」によって測定する。
【００７７】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００７８】
・試験や測定における環境条件についての記載が無い場合、その試験や測定は、標準状態（試験場所は、温度２３±１℃、相対湿度５０±２％）の試験室又は装置内で行うものとする。
【００７９】
・各部の寸法は、特に記載が無い限り、自然長状態ではなく展開状態における寸法を意味する。
【産業上の利用可能性】
【００８０】
本発明は、上記例のようなテープタイプ使い捨ておむつの他、パンツタイプ、パッドタイプ等の各種使い捨ておむつ、生理用ナプキン、スイミングや水遊び用の使い捨て着用物品等、使い捨て着用物品全般における伸縮構造に利用できるものである。
【符号の説明】
【００８１】
１０…脚周り縁、１１…液不透過性シート、１２…外装不織布、１３…連結テープ、１３Ａ…連結部、１３Ｂ…テープ本体部、１３Ｃ…テープ取付部、２０…ターゲットシート、３０…トップシート、４０…中間シート、５０…吸収要素、５６…吸収体、５８…包装シート、６０…起き上がりギャザー、６２…ギャザーシート、７０…胴周り構成領域、７１…上領域、７１Ｅ…上弾性シート、７２…中間領域、７２Ｓ…窪み、７３…下領域、７３Ｅ…下弾性シート、７５…ウエスト弾性シート、８０…積層伸縮体、９０…立体的変形領域、９１…第１カバー層、９２…第２カバー層、９３…弾性シート、９５，９６…スリット部、９５…中央スリット部、９６…端スリット部、Ｂ…背側部分、Ｆ…腹側部分、ＬＤ…前後方向、ＳＦ…サイドフラップ部、ＷＤ…幅方向。